(57)【要約】【課題】バックライト光源の点灯状態確認時の操作性を向上させた映像表示装置及び映像表示方法を提供する。【解決手段】光源が配置された発光手段と、入力された映像信号に基づいて前記複数に分割された光源の各点灯値を算出する画像処理手段と、前記画像処理手段により算出された前記点灯値に基づいて前記複数に分割された光源を制御する分割光源制御手段と、点灯状態確認領域を設定する点灯状態確認領域設定手段と、前記点灯状態確認領域設定手段による設定に基づいて前記映像信号を変化させ出力する輝度制御手段と、前記点灯状態確認領域設定手段の出力に応じてパネルを駆動するパネル制御手段と、前記パネル制御手段の出力する前記映像信号に応じて前記発光手段からの光を透過して出力するパネルとを備え、前記輝度制御手段は、前記点灯状態確認領域で前記パネルに与える信号の輝度をある一定値に変化させて出力することを特徴とする映像表示装置。【選択図】  図４
2011170283.tif 000002
【特許請求の範囲】
【請求項１】
複数に分割された光源が配置された発光手段と、
入力された映像信号に基づいて前記複数に分割された光源の各点灯値を算出する画像処理手段と、
前記画像処理手段により算出された前記点灯値に基づいて前記複数に分割された光源を制御する分割光源制御手段と、
点灯状態確認領域を設定する点灯状態確認領域設定手段と、
前記点灯状態確認領域設定手段による設定に基づいて前記映像信号を変化させ出力する輝度制御手段と、
前記点灯状態確認領域設定手段の出力に応じてパネルを駆動するパネル制御手段と、
前記パネル制御手段の出力する前記映像信号に応じて前記発光手段からの光を透過して出力するパネルとを備え、
前記輝度制御手段は、前記点灯状態確認領域で前記パネルに与える信号の輝度をある一定値に変化させて出力することを特徴とする映像表示装置。
【請求項２】
前記点灯状態確認領域設定手段は、設定する領域の、内側の輝度を一定にするか、外側の輝度を一定にするかそれぞれ外部から選択され、それぞれ選択された領域の混合領域、もしくは共通領域を、輝度を一定値にする点灯状態確認領域として設定することを特徴とする請求項１記載の映像表示装置。
【請求項３】
前記点灯状態確認領域設定手段は、映像表示装置に接続された機器が外部から操作される際に映像表示部に表示されるグラフィック映像が混在するか否か判定し、グラフィック映像が混在すると判定された場合にこのグラフィック映像の位置座標情報を前記機器から受信し、このグラフィック映像が含まれる領域外の領域で、点灯状態確認領域を設定することを特徴とする請求項１記載の映像表示装置。
【請求項４】
前記点灯状態確認領域設定手段の出力に画像を重ねて合成する画像合成手段を更に備えたことを特徴とする請求項１記載の映像表示装置。
【請求項５】
複数に分割された光源が配置されて発光し、
入力された映像信号を基にして前記複数に分割された光源の各点灯値を算出し、
算出された前記点灯値に基づいて前記複数に分割された光源を制御し、
前記映像信号に対し設定された領域の輝度を一定値に設定し、
前記分割された光源の点灯タイミングと合わせてパネルを制御することを特徴とする映像表示方法。
【発明の詳細な説明】
【技術分野】
【０００１】
本発明は、映像表示装置及び映像表示方法に関する。
【背景技術】
【０００２】
現在、液晶ＴＶの光源となるバックライトユニットに関して多くの提案が出ている。例えば、消費電力低減や高コントラスト実現のためにバックライトの光源を複数に分割し、この分割したエリア毎に映像と相関を持たせてバックライトを点灯するエリア制御の提案がされている。この分割された光源の点灯状態を視覚的に確認する方法として、映像信号の輝度を一律最大に設定し、液晶の光透過率を一定にすることにより、バックライトの点灯値や光源の広がりを、液晶パネルの表示輝度により確認する方法が挙げられる。
【０００３】
例えば特許文献１に記載の内容は、透過型液晶パネル等の透過型表示パネルの背面からバックライトを照射して、透過型表示パネルの欠陥部分の抽出を行うための検査装置であり、透過型表示パネルに、少なくとも２種類以上の異なる階調の表示領域を同時に有する検査パターンを表示させることを特徴とする。
【０００４】
しかしながら、従来用いられる方法では、映像信号の輝度を一律に設定する領域が画面全体や左右半分、上下に数区分された部分のいずれかで不変であり、入力映像との任意の位置での比較や、点灯状態を確認している最中の液晶ＴＶの操作が困難であった。即ち点灯状態確認時の操作性のこれらの制約が問題であった。
【先行技術文献】
【特許文献】
【０００５】
【特許文献１】特開２００９−３１３３２号公報
【発明の概要】
【発明が解決しようとする課題】
【０００６】
本発明は、バックライト光源の点灯状態確認時の操作性を向上させる技術を提供することを目的とする。
【課題を解決するための手段】
【０００７】
上記課題を解決するために、本発明の映像表示装置は、複数に分割された光源が配置された発光手段と、入力された映像信号に基づいて前記複数に分割された光源の各点灯値を算出する画像処理手段と、前記画像処理手段により算出された前記点灯値に基づいて前記複数に分割された光源を制御する分割光源制御手段と、点灯状態確認領域を設定する点灯状態確認領域設定手段と、前記点灯状態確認領域設定手段による設定に基づいて前記映像信号を変化させ出力する輝度制御手段と、前記点灯状態確認領域設定手段の出力に応じてパネルを駆動するパネル制御手段と、前記パネル制御手段の出力する前記映像信号に応じて前記発光手段からの光を透過して出力するパネルとを備え、前記輝度制御手段は、前記点灯状態確認領域で前記パネルに与える信号の輝度をある一定値に変化させて出力することを特徴とする。
【発明の効果】
【０００８】
本発明によれば、バックライト光源の点灯状態確認時の操作性を向上させた映像表示装置及び映像表示方法が得られる。
【図面の簡単な説明】
【０００９】
【図１】本発明の実施形態に係わる液晶表示装置の構成を示すブロック図。
【図２】同実施形態のバックライトをスキャン制御することの出来る光源の例。
【図３】同実施形態のバックライト制御手段の方法についての説明図。
【図４】同実施形態の映像表示装置の例を示す機能ブロック構成図。
【図５】同実施形態に用いられる映像表示装置の効果を示す図。
【図６】同実施形態の複数の点灯状態確認領域の設定例を示す図。
【図７】同実施形態に用いられる映像表示装置の効果を示す図。
【図８】同実施形態に用いられる映像表示装置の効果を示す図。
【図９】同他の形態に用いられる映像表示装置を示す機能ブロック図。
【図１０】同他の形態に用いられる映像表示装置の効果を示す図。
【図１１】従来の映像表示装置を示す機能ブロック構成図。
【図１２】従来の映像表示装置で入力映像から得られる点灯値の例を示す図。
【図１３】従来の映像表示装置の課題を示す図。
【発明を実施するための形態】
【００１０】
以下、本発明の実施形態を説明する。
（実施形態１）
本発明による実施形態１を図１乃至図８及び図１１乃至図１３を参照して説明する。
図１は、本発明の実施の一形態にかかる液晶表示装置１の構成を示すブロック図である。
同図に示すように、液晶表示装置１は、映像データ受信部１０、注目領域処理部１５、映像データ処理部２０、映像表示制御部３０、表示部４０、光源としてのバックライト５０を備える。
【００１１】
映像データ受信部１０は例えば、屋外に設置されたアンテナ（図示せず）と接続されており、このアンテナを介して映像データを受信する。例えば、地上アナログ波、地上デジタル波、衛星放送用電波などに乗せられた種々の映像データが受信可能である。また、映像データ受信部１０は、図示はしないが種々の映像再生機器（例えば、ＨＤ  ＤＶＤプレーヤや同レコーダ、ＤＶＤプレーヤや同レコーダなど）とも接続することができる。この場合には、映像データ受信部１０は映像再生機器が再生した映像データを受信する。
【００１２】
映像データ受信部１０は受信した映像データを注目領域処理部１５を経由して映像表示制御部３０および映像データ処理部２０に出力する。映像データ受信部１０で受信される映像データは、詳細には４：３、１６：９など種々のアスペクト比で構成されている。このアスペクト比とは映像データの横幅と縦幅の比である。
【００１３】
映像データには、この映像データがどのアスペクト比で構成されているかを示す映像アスペクト比情報が付加されている。
映像表示制御部３０は、映像データ受信部１０から出力された映像データを受けて表示部４０に映像を表示させる。
表示部４０は、液晶パネル４３、ゲートドライバ４１、ソースドライバ４２から主に構成されている。
液晶パネル４３は、アスペクト比が１６：９の液晶パネルであり、例えばここでは左右にアスペクト比が１６：９の映像データを表示するときには表示領域４３１、即ち液晶パネル４３全体の表示領域で表示し、アスペクト比が４：３の映像データを表示するときには中央の破線部で示した表示領域４３２を用いて映像を表示する。
【００１４】
表示領域４３１のアスペクト比は１６：９である。表示領域４３１には１６：９で構成された映像が表示される。
表示領域４３２のアスペクト比は４：３である。表示領域４３２には４：３で構成された映像が表示される。
液晶パネル４３は、特別図示をしないが２枚のガラスの間に液晶材料をはさみこのガラス上に走査線とデータ線を格子状に配置して構成される。走査線とデータ線はそれぞれ液晶パネル４３端に配置したゲートドライバ４１およびソースドライバ４２の駆動によって制御される。ゲートドライバ４１は走査線にパルス状の電圧波形を順次出力する機能を有する。
【００１５】
ソースドライバ４２はゲートドライバ４１によるパルス状の電圧波形の出力に対応して液晶に電圧を供給する。液晶パネル４３はこのように、ソースドライバ４２とゲートドライバ４１の駆動によって液晶に電圧を印加されることにより映像を表示する。
【００１６】
映像データ処理部２０は、情報取得部２１と、光源制御部２２と、メモリ２３とから構成されている。また注目領域処理部１５は後述の図４の処理のために例えば図示せぬＣＰＵ、プログラム用ＲＯＭ、ワーク用ＲＡＭ等を備えている。情報取得部２１には映像データ受信部１０が出力した映像データが入力される。情報取得部２１は、入力された映像データに付加されている映像アスペクト比情報を取得し、この取得した映像アスペクト比情報を光源制御部２２へ出力する。
【００１７】
メモリ２３は、光源制御部２２が光源ユニット５１の制御を行う際に、光源制御部２２によって参照されるバックライト５０の点消灯テーブルデータを記憶している。バックライト５０の点消灯テーブルデータとはバックライト５０を構成する複数の光源ユニット５１を点灯または消灯するための情報である。このテーブルデータは、映像データのアスペクト比に応じて異なるテーブルデータを持っている。
【００１８】
光源制御部２２は、メモリ２３に記憶されたバックライト５０の点消灯テーブルデータを読み出す。光源制御部２２は、情報取得部２１が出力した映像アスペクト比情報と対応するバックライト５０の点消灯テーブルデータに基づいて、バックライト５０を構成する複数の光源ユニット５１の点消灯を制御する。すなわち光源制御部２２は点灯制御部として機能する。
【００１９】
バックライト５０は表示部４０の表示領域４３１または表示領域４３２に対して光源ユニット５１の光を供給する。すなわちバックライト５０は光源として機能する。
【００２０】
バックライト５０は液晶パネル４３の裏側に設けられる。
バックライト５０と液晶パネル４３の間には図示はしないが一対の拡散板とこの拡散板に挟まれたプリズムシートが設けられる。拡散板は光源ユニットが供給した光を散乱、拡散させ、表示領域全体を均一な明るさにするためのものである。
【００２１】
プリズムシートは、バックライト５０から供給された光の輝度を向上させるためのものである。
光源ユニット５１は、ＲＥＤ（以下Ｒと称す。）、ＧＲＥＥＮ（以下Ｇと称す。）、ＢＬＵＥ（以下Ｂと称す。）の３原色光で発光する複数のＬＥＤ（Light Emitting Diode）から構成されている。光源ユニット５１はＲＧＢのＬＥＤの色を混ぜて白色で発光することができる。
【００２２】
なお、本発明は光源ユニット５１に使用されるＬＥＤの構成は特に限定されず、例えば一つのＲＬＥＤ、二つのＧＬＥＤ、一つのＢＬＥＤを一組としたものや、二つのＲＬＥＤ、三つのＧＬＥＤ、一つのＢＬＥＤを一組としたものなどであってもよい。
【００２３】
また使用するＬＥＤもＲＧＢの３色に限定されることなく４色以上のＬＥＤや白色のＬＥＤなど種々のＬＥＤを光源とすることができる。
また、光源ユニット５１を構成する光源はＬＥＤに限定されることなく種々の発光素子を使用することができる。この発光素子は例えば、有機ＥＬ（Electro Luminescence）、や無機ＥＬ、レーザダイオード(Laser Diode、ＬＤ)などである。
【００２４】
次に、バックライトをスキャン制御することの出来る光源の例を説明する。図２(a)、(b)は、バックライト１０５（図１の５０相当）の例を示す。
初めに図２(a)について説明する。これは、導光板を用いたエッジ型のバックライト光源である。バックライト１０５は、導光板１０８にて複数に分割されており、この場合は６分割にて示しているが、この分割数にこだわる必要は無く、所望の分割数にしても良い。この場合は６分割により縦方向（ライン方向とは直交方向＝映像信号の走査方向とは直交方向）に、６つに独立して点灯制御可能なバックライト点灯手段を構成している。導光板１０８のエッジには、分割数に合わせて光源部１０６が配置され、光源部には、ＲＧＢを発光する光源１０７が配置されている。この光源はＬＥＤ、ＥＬもしくはＬＤなどで構成されている。なお、本発明は先にも述べた通りＲＧＢではなく、擬似白色のような白色光源としても良い。また、導光板でなく平板面の光源などでも良い。
【００２５】
次に、図２(ｂ)について説明する。これは、光源直下型のバックライト光源である。図１に対応する構成である。バックライト１０５は、RGBを有する光源１０６（図１の５１相当）にて構成されている。そして、各光源１０６は、この場合は６×８分割に格子状に配置されている。もちろんこの分割数にこだわる必要は無く、所望の分割数にして良い。後述の図５、図６では８×１１分割を示しているが例えば８×８分割、８×１６分割などであってもよい。この図２(ｂ)の配置においては、画面のライン方向の一列を同じバックライト輝度に制御することも可能であるし、各分割エリアで異なるバックライト輝度に制御するエリア制御することももちろん可能である。この場合においてもＲＧＢを発光する光源１０６は前述のＬＥＤにかわり、ＥＬ、もしくはＬＤなどであっても良い。もちろんＲＧＢではなく、擬似白色のような白色光源としても良い。
【００２６】
次に、図２(ｂ)で示したような格子状に分割された光源を用いたバックライトを用いて、バックライト制御手段の方法について説明する。図３はバックライトを構成する１つの光源に注目した場合の説明図である。いま注目する（図３の例ではバックライト１０５の上から３つ左から５つ目のエリアの）１つの光源１０６のみを点灯したとする。光源１０６からの光は、自らの光源の広がりと拡散板などの光学フィルムによる広がりで、本来の分割された領域よりも光が拡散されて液晶パネル４３に供給される。バックライトの構成図の右に示すXY軸にて示すグラフ１１０は、X軸は距離を示し、Y軸は相対的な輝度を示す。光源の広がりを示す簡易的なプロファイル１１１を示しておく。このプロファイル１１１は、ガウス分布による広がりまたは、指数関数による広がりで近似することが出来るが、ここで示すプロファイル１１１は概形を示している。プロファイルの数値などは特に示してはいないが、説明上の理解を助けるための図示である。
【００２７】
ここで既存技術として図１１を用いて、液晶表示装置等に用いられる従来の映像表示装置の機能ブロック構成について説明する。
図１１に示すように、入力された映像信号から光源の分割領域毎の光源の点灯値の算出や、表示する映像の補正などを行う画像処理手段１１０１と、映像表示パネルを制御する映像表示部制御手段１１０２と、映像表示部１１０３と、光源を制御する分割光源制御手段１１０４と、バックライトとなる光源１１０５から、従来の映像表示装置は構成されている。
【００２８】
次に、この構成の動作について説明する。映像信号は、画像処理手段１１０１に入力される。画像処理手段１１０１は上記を換言すれば、高画質化の他にバックライトの輝度に合わせた映像信号の補正処理も行っている。画像処理手段１１０１にて算出された各点灯値は、分割光源制御手段１１０４へ入力され、バックライトとなる光源１１０５を制御する。また、画像処理手段１１０１にて高画質化等の補正処理がなされた映像信号は、映像表示部制御手段１１０２に入力され、入力された映像信号を元に映像表示部１１０３を制御する。なお、映像表示部への表示タイミングとバックライトとなる光源を点灯するタイミングを合わせることは言うまでもない。
【００２９】
図１２は、従来の映像表示装置で入力映像から得られる点灯値の例を示す図である。
この装置により、図１２の例に示すように、暗い部分を表示する場合はバックライト光源を暗く、明るい部分を表示する場合には光源を明るくといったように適応的にバックライト光源を制御することで、明るい部分の明るさを維持したまま、暗い部分はより暗く表示することが可能で、高コントラスト映像表示を実現でき、且つ不要なバックライト光源の点灯を避けることで低消費電力での映像表示が可能である。
【００３０】
次に、従来の映像表示装置での課題を説明する。まず、制御されているバックライト光源の点灯状態を視覚的に確認する方法を図１３に示す。パネルの表示輝度がバックライト光源と光透過率で決定されることから、映像信号の輝度を一律最大に設定して表示パネルの光透過率を一定にすることで、光源の点灯値や広がりを、パネルの表示輝度により確認することができる。
【００３１】
このとき、従来の映像表示装置では画像処理手段１１０１にて映像信号の輝度を一律に設定するが、特別な領域設定は無く画面全体や、左右半分のいずれかなどの、不変の領域の輝度を一律にすることしかできなかった。すると、入力映像との任意の位置での比較ができなくなり、また、映像の内容などを示すロゴや情報が入力映像信号に含まれている場合に、その情報の部分が一律輝度で潰されてしまい認識できず、点灯状態を確認している最中の映像の区別や、液晶ＴＶの操作が困難となっていた。例えば図１３は上記画面全体の場合に相当し、以下図５から図８，図１０で対する効果を述べる。
【００３２】
そこで本実施形態では、映像信号の輝度を一律に設定しバックライト光源の点灯状態を視覚的に確認する領域を、任意の領域で設定することにより、上記の問題を解決する。
【００３３】
さて図４は、この発明の液晶表示装置１内の一実施形態を示す機能ブロック構成図である。
まず映像表示装置の第１の構成について説明する。図４に示すように、入力された映像信号から、光源の分割領域毎の光源の点灯値の算出や、表示する映像の補正などを行う画像処理手段２０１と、映像信号に対し、ある設定された領域（この例では複数の領域）の輝度を一律に設定する点灯状態確認領域設定手段２０６と、輝度制御手段２０７と、映像表示パネルを制御する映像表示部制御手段２０２と、映像表示部２０３と、光源を制御する分割光源制御手段２０４と、バックライトとなる光源２０５から構成されている。
【００３４】
次に、この構成の動作について説明する。映像信号は、画像処理手段２０１に入力される。画像処理手段２０１にて算出された各点灯値は、分割光源制御手段２０４へ入力され、バックライトとなる光源２０５の各分割領域を制御する。また、画像処理手段２０１にて高画質化等の補正処理がなされた映像信号に対し、点灯状態確認領域設定手段２０６にて、任意に設定された必要により複数の領域の映像信号の輝度を好ましくは一律最大に設定して（但しこの輝度は最大でなくても一律であればよく、要は所定の輝度に決定し、例えば色は白色にする）に設定し、その領域内ではパネルに表示した際にバックライト光源の点灯状態を視覚的に確認できるようにする。点灯状態確認領域設定手段２０６の出力は輝度制御手段２０７に入力され、この入力に基づいて輝度制御手段２０７は映像表示部制御手段２０２に指示し、入力された映像信号を元に映像表示部２０３を制御する。
【００３５】
この構成による効果を図５に示す。入力映像信号に対し、バックライト光源の点灯状態を確認するために、映像信号の輝度を一律に設定する点灯状態確認領域を、任意の２つの領域で設定している。すると、任意位置での点灯状態が確認でき、映像に含まれるロゴや情報を隠すことなく表示することができる。
【００３６】
また、複数設定した領域に対し、内側を点灯状態確認領域にするか、外側（NOT）を点灯状態確認領域にするかそれぞれ選択し、また、それぞれ選択された領域の混合領域（OR）、もしくは共通領域（AND）を最終的な点灯状態確認領域として設定する。図６に例として、左（図６（ａ））で設定した（１）の領域と（２）の領域に対して、右上から順に（１）OR（２）（図６（ｂ））、（１）NOR（２）（図６（ｃ））、（１）AND~（２）（図６（ｄ））、と設定した領域で点灯状態確認領域設定を示している（ただし~は補領域を示す）。このように論理的に設定できることで、より柔軟な点灯状態確認領域設定が可能となる。図７に例として、画面の左右半分それぞれで別処理を行い、処理を区別するためのロゴを追加した映像信号を入力して、バックライト光源の点灯状態を視覚的に確認する場合を示している。このとき、ロゴを含む2つの領域のNORを取り、点灯状態確認領域とすることで、映像の情報を確認しつつ、点灯状態を視覚的に確認することが容易に実現できる。
【００３７】
さらに、ＴＶ本体やＴＶ本体に接続された録画機器などを操作する際に画面に表示されるグラフィック映像が混在するか否か、及び位置座標情報を受け取り、グラフィック映像が混在している場合、グラフィック映像が含まれる領域を外して点灯状態確認領域を設定する。図８に例を示すように、入力映像信号の右上、左端に機器のメニュー画面が含まれている場合、機器の操作と連動して、グラフィック映像の有無と位置座標情報を与え、点灯状態確認領域から外すことで、点灯状態を確認している最中でも操作用のグラフィック映像が確認でき、機器の操作が容易になる。
【００３８】
点灯状態確認領域を設定する手段としては、マウスなどのポインティングデバイスを対象装置に装着しキーボードなども援用して、例えば画面に対話的なメニューを出して領域の座標と論理設定（AND, OR, NOTの組合せ）を行なうようにすればよい。
【００３９】
（実施形態２）
次に、本発明による実施形態２を図１乃至図３及び図９乃至図１０を参照して説明する。実施形態１と共通する部分は説明を省略する。
図９は、映像表示装置の第２の構成について説明するための図である。図９に示すように映像表示装置の第２の構成は、入力された映像信号から、光源の分割領域に合わせた点灯値の算出や、表示する映像の補正などを行う画像処理手段３０１と、映像信号に対し、ある設定された複数の領域の輝度を一律に設定する点灯状態確認領域設定手段３０６と、輝度制御手段３０８と、輝度制御手段３０８の出力に、入力映像信号とは別の画像を重ねて合成する画像合成手段３０７と、映像表示パネルを制御する映像表示部制御手段３０２と、映像表示部３０３と、光源を制御する分割光源制御手段３０４と、バックライトとなる光源３０５とから構成されている。
【００４０】
次に、この構成の動作について説明する。映像信号は、画像処理手段３０１に入力される。画像処理手段３０１は上記を換言すれば、高画質化の他にバックライトの輝度に合わせた映像信号の補正処理も行っている。画像処理手段３０１にて算出された各点灯値は、分割光源制御手段３０４へ入力され、バックライトとなる光源３０５を制御する。また、画像処理手段３０１にて高画質化等の補正処理がなされた映像信号に対し、点灯状態確認領域設定手段３０６にて、任意に設定された複数の領域の輝度を一律に設定し、その領域内ではパネルに表示した際に点灯状態を視覚的に確認できるようにする。さらに、輝度制御手段３０８の出力に、画像合成手段３０７で入力映像信号とは別の画像を重ねて合成する。画像合成手段３０７の出力は映像表示部制御手段３０２に入力され、入力された映像信号を元に映像表示部３０３を制御する。
【００４１】
この構成による効果を図１０に示す。点灯状態確認領域を追加した映像に対し、さらに、入力映像信号とは別の画像を重ねて合成している。すると、画像処理手段３０１で算出される各点灯値に影響を与えず、点灯状態確認領域とは独立に出力映像に情報を付加することができる。この別の画像は、本例では“test mode”という文字である。標準として例えば中間調の灰色による表示を行う。変形としては、背景の輝度の高い部分はより黒く背景の輝度の低い部分はより白く表示してもよい。
【００４２】
以上の実施形態の変形として、前記点灯状態確認領域設定手段２０６または３０６にて設定される、複数の領域の形状、個数、および論理設定（AND, OR, NOTの組合せ）は拡張可能とする。例えば領域の形状は、装置の製造時等の検証では通常矩形を用いることが多いが、デモに用いる場合には演出効果のために自由に凝った形状としてもよい。
【００４３】
バックライト光源を複数に分割したエリア制御を行う映像表示装置において、映像信号の輝度を一律最大に設定して、液晶の光透過率を一定にすることで光源の点灯状態を視覚的に確認できるが、従来用いられる方法では、映像信号の輝度を一律に設定する領域が画面全体や左右半分のいずれかで不変であり、入力映像との任意の位置での比較や、点灯状態を確認している最中の映像機器の操作が困難であった。
【００４４】
そこで上記のように本実施形態では、映像信号の輝度を一律に設定し点灯状態を視覚的に確認する領域を、任意の複数の領域で設定することにより、点灯状態確認時の操作性を向上させることを可能とした。
【００４５】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４６】
１…液晶表示装置、１０…画像データ受信部、１５…注目領域処理部、２０…画像データ処理部、２１…情報取得部、２２…光源制御部、２３…メモリ、３０…画像表示制御部、４０…表示部、４１…ゲートドライバ、４２…ソースドライバ、４３…液晶パネル、４３１…第１の表示領域、４３２…第２の表示領域、５０…バックライト、５１…光源ユニット、２０１…画像処理手段、２０２…映像表示部制御手段、２０３…映像表示部、２０４…分割光源制御手段、２０５…光源、２０６…点灯状態確認領域設定手段、２０７…輝度制御手段、３０１…画像処理手段、３０２…映像表示部制御手段、３０３…映像表示部、３０４…分割光源制御手段、３０５…光源、３０６…点灯状態確認領域設定手段、３０７…画像合成手段、３０８…輝度制御手段、１１０１…画像処理手段、１１０２…映像表示部制御手段、１１０３…映像表示部、１１０４…分割光源制御手段、１１０５…光源。
【図１】
2011170283.tif 000003
【図２】
2011170283.tif 000004
【図３】
2011170283.tif 000005
【図４】
2011170283.tif 000006
【図５】
2011170283.tif 000007
【図６】
2011170283.tif 000008
【図７】
2011170283.tif 000009
【図８】
2011170283.tif 000010
【図９】
2011170283.tif 000011
【図１０】
2011170283.tif 000012
【図１１】
2011170283.tif 000013
【図１２】
2011170283.tif 000014
【図１３】
2011170283.tif 000015